(57)【要約】【課題】  ヘッドセット型とクレードル型の選択的なハンズフリー通話が可能なハンズフリー装置を提供する。【解決手段】  携帯電話５０と無線通信が可能な複数のヘッドセット１０−１〜１０−４と、該各ヘッドセットを収容可能なクレードル２０とでハンズフリー装置を構成する。このハンズフリー装置では、携帯電話５０とヘッドセット１０とが無線コネクション６０で接続されるため、携帯電話５０をカバンやポケットに入れたままの状態で、ヘッドセット１０によるハンズフリー通話と、クレードル２０によるハンズフリー通話の両シーンが選択できる。【選択図】  図１
2006074670.tif 000002
【特許請求の範囲】
【請求項１】
通話源との無線通信が可能なヘッドセットと、該ヘッドセットに接続可能なクレードルとを備えたハンズフリー装置であって、
前記クレードルは、
複数の前記ヘッドセットをそれぞれ固有の箇所に収容可能なヘッドセット収容部と、
前記収容されたヘッドセットの少なくとも一つと接続可能なスピーカとを備え、
前記ヘッドセットを介して前記通話源から受信した音声信号を前記スピーカから出力可能としたことを特徴とするハンズフリー装置。
【請求項２】
通話源との無線通信が可能なヘッドセットと、該ヘッドセットに接続可能なクレードルとを備えたハンズフリー装置であって、
前記ヘッドセットは、
マイクおよびスピーカを備え、
前記クレードルは、
複数の前記ヘッドセットをそれぞれ固有の箇所に収容可能なヘッドセット収容部を具備し、
前記収容されたヘッドセットのマイクを利用して前記通話源との音声信号交換を可能としたことを特徴とするハンズフリー装置。
【請求項３】
前記ヘッドセットは、
該ヘッドセット内に設けられたスピーカに適合した扁平形状を有し、
前記クレードルは、
前記各ヘッドセットを立てた状態で前記ヘッドセット収容部に並べて配置し、
前記収容されたヘッドセットのうち、少なくとも２つのヘッドセットに設けられたマイクを利用して前記通話源との音声信号交換を行うことを特徴とする請求項２記載のハンズフリー装置。
【請求項４】
通話源との無線通信が可能なヘッドセットと、該ヘッドセットに接続可能なクレードルとを備えたハンズフリー装置であって、
前記ヘッドセットは、
マイクおよびスピーカを備え、
前記クレードルは、
複数の前記ヘッドセットをそれぞれ固有の箇所に収容可能なヘッドセット収容部を具備し、
前記通話源から受信した音声信号を前記収容されたヘッドセットのスピーカから出力可能としたことを特徴とするハンズフリー装置。
【請求項５】
前記ヘッドセットは、
該ヘッドセット内に設けられたスピーカに適合した扁平形状を有し、
前記クレードルは、
前記各ヘッドセットを立てた状態で前記ヘッドセット収容部に並べて配置し、
前記収容されたヘッドセットのうち、外側に配置されたヘッドセットのスピーカから前記音声信号を出力することを特徴とする請求項４記載のハンズフリー装置。
【請求項６】
通話源との無線通信が可能なヘッドセットと、該ヘッドセットに接続可能なクレードルとを備えたハンズフリー装置であって、
前記クレードルは、
複数の前記ヘッドセットをそれぞれ固有の箇所に収容可能なヘッドセット収容部と、
前記収容された各ヘッドセットを充電する充電手段と
を備えたことを特徴とするハンズフリー装置。
【請求項７】
通話源との無線通信が可能なヘッドセットと、該ヘッドセットに接続可能なクレードルとを備えたハンズフリー装置であって、
前記ヘッドセットは、
該ヘッドセット内に設けられたスピーカに適合した扁平形状を有し、
前記クレードルは、
複数の前記ヘッドセットを立てた状態で並べて配置可能なヘッドセット収容部を備えたことを特徴とするハンズフリー装置。
【発明の詳細な説明】
【技術分野】
【０００１】
この発明は、ハンズフリー装置に関し、特に、ヘッドセット型と卓上型のハンズフリー通話を適宜選択可能なハンズフリー装置に関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【発明の開示】
【発明が解決しようとする課題】
【０００４】
しかし、上記特許文献１の構成では、ハンズフリー通話を行うために、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００５】
また、上記特許文献２の構成では、通話源との接続が有線になるため煩わしさが残り、上記特許文献１と同様に、携帯電話をカバンやポケットに入れたままの通話はできなかった。
【０００６】
また、最近では、携帯電話とヘッドセットの無線通信を可能とした構成も知られているが、この構成では、ヘッドセットを常に耳に装着する必要があり、室内や車内では煩わしさが残る。この課題を解決するために、特許文献１に示された構成を取る場合には、携帯電話をカバンやポケットから取り出す必要がある。
【０００７】
そこで、本発明は、携帯電話等の通話源をスピーカ付充電器等の特定の機器にセットすることなく、ヘッドセット型と卓上型のハンズフリー通話を適宜選択可能なハンズフリー装置を提供する。
【課題を解決するための手段】
【０００８】
上記目的を達成するため、本発明の第１の手段は、通話源との無線通信が可能なヘッドセットと、該ヘッドセットに接続可能なクレードルとを備えたハンズフリー装置であって、前記クレードルは、複数の前記ヘッドセットをそれぞれ固有の箇所に収容可能なヘッドセット収容部と、前記収容されたヘッドセットの少なくとも一つと接続可能なスピーカとを備え、前記ヘッドセットを介して前記通話源から受信した音声信号を前記スピーカから出力可能としたことを特徴とする。
【０００９】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器が含まれる。
【００１０】
これらの通話源とヘッドセットには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１１】
クレードルは、ヘッドセットが無線通信で得た通話源からの音声信号を再生し、自己に設けられたスピーカから音声を出力するとともに、自己に設けられたマイクロホンまたはヘッドセットのマイクロホンに入力された音声をヘッドセットを介して信号源に出力することで、通話源とのハンズフリー通話を可能としている。
【００１２】
上記構成によれば、ヘッドセットとクレードルのいずれを用いても、通話源とのハンズフリー通話を行うことができるため、例えば運転中に同乗者に聞かれたくない内容の場合には、ヘッドセットを用いてハンズフリー通話を行い、一人で運転中の場合は、ヘッドセットの煩わしさを避けてクレードルを介したハンズフリー通話を行うことができる。
【００１３】
また、クレードルと通話源との音声信号の交換は、ヘッドセットを介して行われるため、例えば、携帯電話をカバンやポケットに入れたままで、ヘッドセット型とクレードル型の選択的なハンズフリー通話が可能となる。
【００１４】
さらに、本発明では複数のヘッドセットを収容することが可能であるため、同乗者がいる場合であっても、全員分のヘッドセットを提供することが可能である。
【００１５】
また、本発明の第２の手段によれば、通話源との無線通信が可能なヘッドセットと、該ヘッドセットに接続可能なクレードルとを備えたハンズフリー装置であって、前記ヘッドセットは、マイクおよびスピーカを備え、前記クレードルは、複数の前記ヘッドセットをそれぞれ固有の箇所に収容可能なヘッドセット収容部を具備し、前記収容されたヘッドセットのマイクを利用して前記通話源との音声信号交換を可能としたことを特徴とする。
【００１６】
このようにヘッドセットのマイクを利用して通話を行うことで、クレードル内部にマイクを設ける場合よりも、クレードルを簡易に構成することが可能になり、クレードルの小型・軽量化に有用である。
【００１７】
望ましくは、前記ヘッドセットを該ヘッドセット内に設けられたスピーカに適合した扁平形状で構成し、前記各ヘッドセットを立てた状態で前記ヘッドセット収容部に並べて配置し、前記収容されたヘッドセットのうち、少なくとも２つのヘッドセットに設けられたマイクを利用して前記通話源との音声信号交換を行うことで、複数のマイクを利用した集音声の向上を図ることも可能である。
【００１８】
また、本発明の第３の手段は、通話源との無線通信が可能なヘッドセットと、該ヘッドセットに接続可能なクレードルとを備えたハンズフリー装置であって、前記ヘッドセットは、マイクおよびスピーカを備え、前記クレードルは、複数の前記ヘッドセットをそれぞれ固有の箇所に収容可能なヘッドセット収容部を具備し、前記通話源から受信した音声信号を前記収容されたヘッドセットのスピーカから出力可能としたことを特徴とする。
【００１９】
このように、収容されたヘッドセットのスピーカを利用することで、クレードル側の構成を簡易にすることができる。ここで、ヘッドセットをクレードルから外して利用する場合には、ヘッドセット内のバッテリが消耗するために、大きな音量を出し続けることが困難となるが、クレードルに装着した状態であれば、ヘッドセットには常に電源を供給することが可能であるため、ヘッドセットのスピーカから大きな音量を出すことも可能になる。
【００２０】
望ましくは、前記ヘッドセットを該ヘッドセット内に設けられたスピーカに適合した扁平形状で構成し、該各ヘッドセットを立てた状態で前記ヘッドセット収容部に並べて配置し、前記収容されたヘッドセットのうち、外側に配置されたヘッドセットのスピーカから前記音声信号を出力することで、音声出力効率の向上を図ることも可能である。
【００２１】
また、本発明の第４の手段は、通話源との無線通信が可能なヘッドセットと、該ヘッドセットに接続可能なクレードルとを備えたハンズフリー装置であって、前記クレードルは、複数の前記ヘッドセットをそれぞれ固有の箇所に収容可能なヘッドセット収容部と、前記収容された各ヘッドセットを充電する充電手段とを備えたことを特徴とする。
【００２２】
このように、収容した複数のヘッドセットを充電可能とすることで、あるヘッドセットをクレードルから外して使用している間に該ヘッドセットのバッテリが切れたとしても、他のヘッドセットが常に充電されているため、ヘッドセットを交換するだけで引き続き通話を継続することが可能である。
【００２３】
この場合は、新たなヘッドセット側をユーザが操作することで、携帯電話との無線リンクをバッテリが切れたヘッドセットから新たなヘッドセットに切り替える構成としても良く、また、バッテリが切れたときに携帯電話側から自動的に別のヘッドセットに対する無線リンクを確立させる構成としても良い。
【００２４】
このような予備充電構成により、ヘッドセット側のバッテリ容量も少なく設計することが可能になるため、ヘッドセットの小型・軽量化を支える手段として有用である。
【００２５】
また、本発明の第５の手段は、通話源との無線通信が可能なヘッドセットと、該ヘッドセットに接続可能なクレードルとを備えたハンズフリー装置であって、前記ヘッドセットは、該ヘッドセット内に設けられたスピーカに適合した扁平形状を有し、前記クレードルは、複数の前記ヘッドセットを立てた状態で並べて配置可能なヘッドセット収容部を備えたことを特徴とする。
【００２６】
このように複数のヘッドセットを並べてクレードルに配置することで、省スペースに複数のヘッドセットを配置することが可能であり、また、クレードル自体はコネクタ的な形状で構成されていたとしても、ヘッドセットの外観形状が支配的になるため、全体として見栄えの良い外観が提供される。
【発明の効果】
【００２７】
以上説明したように、本発明によれば、携帯電話等の通話源をスピーカ付充電器等の特定の機器にセットすることなく、ヘッドセット型とクレードル型の選択的なハンズフリー通話が可能になる。
【発明を実施するための最良の形態】
【００２８】
以下、本発明の実施形態を添付図面を参照して詳細に説明する。尚、本発明は、以下説明する実施形態に限らず適宜変更可能である。
【００２９】
図１は、本発明の第１の形態に係るハンズフリー装置の構成を示す斜視図である。同図に示すように、本ハンズフリー装置は、携帯電話５０と無線通信可能なワイヤレスヘッドセット１０と、このヘッドセットが複数収容可能なサウンドクレードル２０とで構成される。ここで、携帯電話５０とヘッドセット１０との間は、ワイヤレスコネクション６０による双方向通信が行われ、通信規格としては音声通信に適したブルートゥースが適用される。
【００３０】
このワイヤレスヘッドセット１０およびサウンドクレードル２０は、運転中等の携帯電話５０の使用が制約されるシーンで好適に利用される。例えば、同乗者がいる中で通話する場合は、ヘッドセット１０を耳に装着して通話し、一人で運転中の場合は、ヘッドセット１０をクレードル２０に装着した状態でのハンズフリー通話が可能である。
【００３１】
ここで、携帯電話５０とヘッドセット１０との間は無線通信が可能であるため、携帯電話５０をカバンやポケットに入れたままで、ヘッドセット１０を使用した通話と、クレードル２０を使用した通話のいずれのハンズフリー通話も行うことができる。
【００３２】
同図に示すように、クレードル２０は、複数のヘッドセット１０−１〜１０−４を立てた状態で並べて収容することが可能であり、クレードル２０に収容されたヘッドセットは、充電された状態でユーザの使用を待機することになる。
【００３３】
ここで、本ハンズフリー装置のユーザがヘッドセット１０を用いて通話を行う場合には、クレードル２０から好みのヘッドセット１０−１を取り外し、このヘッドセット１０−１内に設けられたマイクおよびスピーカを利用して、送話音５００および受話音５０２の入出力を行い、この通話信号をワイヤレスコネクション６０を介して携帯電話５０と交換する。
【００３４】
図２は、図１に示したヘッドセットの構成を示す斜視図である。同図に示すように、ヘッドセット１０は、各種回路を収容したヘッドセット本体１２と、スピーカを収容したイヤーパッド１６と、ヘッドセット用マイク１８と、耳に取り付ける際に使用されるイヤークリップ１９とで構成される。このヘッドセット１０は、耳にフィットする形状であって、かつ、ヘッドセット内に設けられたスピーカに適合した扁平形状であることが望ましい。
【００３５】
図３は、図１に示したクレードルの構成を示す斜視図である。同図に示すように、クレードル２０は、各種回路を収容したクレードル本体２２と、ヘッドセット１０−１〜１０−４を収容するためのヘッドセット収容部２３−１〜２３−４と、収容したヘッドセットの着脱を行う着脱スイッチ２４−１〜２４−４と、クレードル用マイクロホン２６と、クレードル用スピーカ２８と、車載用シガライタ等の電源と接続可能な電源コード３０とで構成される。
【００３６】
このクレードル２０は、自動車等の振動体に取付けた際にも安定するよう低重心の扁平形状とすることが望ましく、また、振動体に固定する場合には３点支持とすることが望ましい。より望ましくは、扁平形状のヘッドセット１０−１〜１０−４を立てて並べて配置した場合であっても全体の重心が低くなる構成としておく。
【００３７】
図４は、図１に示したハンズフリー装置におけるクレードルを利用した通話形態を示す斜視図である。同図に示すように、本ハンズフリー装置のユーザがクレードル２０を用いて通話を行う場合には、クレードル２０に設けられたクレードル用マイクロホン２６と、クレードル用スピーカ２８とを介して、送話音５００および受話音５０２の入出力を行い、該クレードル２０に収容されたいずれかのヘッドセットに設けられた無線機能を利用して携帯電話５０との通話を行う。
【００３８】
ここで、クレードル２０は、電源コード３０を介して、外部の電源と接続されるため、スピーカ２８から十分な音量を出力することができるとともに、各ヘッドセット１０−１〜１０ー４を同時に充電することも可能である。尚、クレードル２０に設けられたスピーカ２８は、該クレードル２０の両サイドに配置することが望ましい。
【００３９】
図５は、ヘッドセットおよびクレードルの内部回路構成を示すブロック図である。同図に示すように、ヘッドセット１０は、携帯電話との無線通信機能を提供するブルートゥース回路１００と、ブルートゥース回路の出力先を切り替えるスイッチＳＷと、ヘッドセットの電力源を提供するバッテリ１０２と、ブルートゥース回路１００から出力された信号に対してノイズキャンセラやイコライザ処理を行う音声処理回路１０４と、音声処理回路に処理された信号を増幅するオーディオアンプ１０６と、ユーザからの音声入力インターフェースとなるマイクロホン１０８と、ユーザに対する音声出力インターフェースとなるスピーカ１１０とで構成される。
【００４０】
クレードル２０は、ＡＣ電源から取得したＡＣ電力をＤＣ電力に変換して、自己の電力源を生成するとともに、ヘッドセットに充電機能を提供するＡＣ／ＤＣコンバータ２００と、ヘッドセット側に設けられたものと同様に機能を提供する音声処理回路２０４と、オーディオアンプ２０６と、マイクロホン２０８と、スピーカ２１０とで構成される。
【００４１】
上記のように構成されるヘッドセット１０がクレードル２０に接続されると、ヘッドセット１０側に設けられたスイッチＳＷがクレードル２０側に切り替えられ、ブルートゥース回路１００からの出力がクレードル側の音声処理回路２０４に入力される。同時に、ヘッドセット側に設けられたバッテリ１０２とクレードル側に設けられたＡＣ／ＤＣコンバータ２００とが接続されてバッテリ１０２の充電が開始される。
【００４２】
一方、ヘッドセット１０がクレードル２０から取り外されると、ヘッドセット１０側に設けられたスイッチＳＷがヘッドセット側に切り替えられ、ブルートゥース回路１００からの出力がヘッドセット側の音声処理回路１０４に入力され、バッテリ駆動によるヘッドセットの単体動作となる。
【００４３】
尚、同図においては、一つのヘッドセットと一つのクレードルとの接続を前提として説明したが、複数のヘッドセットを接続する場合も同様の回路ブロックを拡張して構成することができる。
【００４４】
図６は、ヘッドセットおよびクレードルの他の回路構成例を示すブロック図である。同図に示すように、音声処理回路１０４とオーディオアンプ１０６とをヘッドセットとクレードルとで共用する構成とし、マイクロホンとスピーカへの出力ラインに切替スイッチＳＷをそれぞれ設けることで、図５と同様の機能を実現させても良い。この場合は、クレードル側に音声処理回路とオーディオアンプが不要になるため、クレードルの簡易化が実現できる。
【００４５】
また、最近のブルートゥースＩＣには、音声処理回路を備えたものも考案されており、このようなＩＣを使用することで、ブルートゥース回路１００と音声処理回路１０４とを一体化した構成を取っても良い。
【００４６】
尚、同図においては、一つのヘッドセットと一つのクレードルとの接続を前提として説明したが、複数のヘッドセットを接続する場合も同様の回路ブロックを拡張して構成することができる。
【００４７】
図７は、本発明に係るハンズフリー装置の第２の実施形態を示す斜視図である。同図に示すように、クレードル２０にはマイクを設けず、ヘッドセット側のマイク１８を利用して送話音５００の取り込みを行う構成としても良い。この場合、クレードルに収容されたいずれか一つのヘッドセットのマイクを使用しても、複数のヘッドセットのマイクを使用しても良い。
【００４８】
図８は、本発明に係るハンズフリー装置の第３の実施形態を示す斜視図である。同図に示すように、クレードル２０にはマイクもスピーカも設けず、ヘッドセット側のマイク１８およびスピーカを利用して送話音５００および受話音５０２の入出力を行う構成としても良い。この場合、クレードルの両外側に収容されたヘッドセットのスピーカを利用して音声の出力を行うことが望ましい。
【産業上の利用可能性】
【００４９】
本発明によれば、ヘッドセット型とクレードル型の選択的なハンズフリー通話が可能になるため、一人の場合と同乗者がいる場合との両シーンが想定される車載用ハンズフリーへの適用が期待される。
【図面の簡単な説明】
【００５０】
【図１】本発明の第１の形態に係るハンズフリー装置の構成を示す斜視図である。
【図２】図１に示したヘッドセットの構成を示す斜視図である。
【図３】図１に示したクレードルの構成を示す斜視図である。
【図４】図１に示したハンズフリー装置におけるクレードルを利用した通話形態を示す斜視図である。
【図５】ヘッドセットおよびクレードルの内部回路構成を示すブロック図である。
【図６】ヘッドセットおよびクレードルの他の回路構成例を示すブロック図である。
【図７】本発明に係るハンズフリー装置の第２の実施形態を示す斜視図である。
【図８】本発明に係るハンズフリー装置の第３の実施形態を示す斜視図である。
【符号の説明】
【００５１】
１０…ワイヤレスヘッドセット、１２…ヘッドセット本体、１４…アンテナ、１６…イヤーパッド、１８…ヘッドセット用マイク、１９…イヤークリップ、２０…マルチクレードル、２２…クレードル本体、２３…ヘッドセット収容部、２４…着脱スイッチ、２６…クレードル用マイクロホン、２８…クレードル用スピーカ、３０…電源コード、５０…携帯電話、６０…ワイヤレスコネクション、１００…ブルートゥース回路、１０２…バッテリ、１０４…音声処理回路、１０６…オーディオアンプ、１０８…マイクロホン、１１０…スピーカ、２００…ＡＣ／ＤＣコンバータ、２０４…音声処理回路、２０６…オーディオアンプ、２０８…マイクロホン、２１０…スピーカ、５００…送話音、５０２…受話音
【図１】
2006074670.tif 000003
【図２】
2006074670.tif 000004
【図３】
2006074670.tif 000005
【図４】
2006074670.tif 000006
【図５】
2006074670.tif 000007
【図６】
2006074670.tif 000008
【図７】
2006074670.tif 000009
【図８】
2006074670.tif 000010